(57)【特許請求の範囲】
【請求項１】
コンクリート製防護柵の一側面と対側面とを挟持して標識を取り付けるコンクリート製防護柵用標識取付具であって、
該取付具は、前記防護柵の一側面に接する固定アームと、該固定アームに溶接された連結アームと、該連結アームに支持軸を介して可動自在に接続され該防護柵の対側面に接する可動アームと、前記連結アームと略平行で、前記固定アームと前記可動アームとの上端部に支持軸を支点として可動自在に接続され該固定アームと該可動アームとの間隔をねじ機構により調節する長さ調節手段と、前記可動アームに配置された標識支持手段とを備えてなることを特徴とするコンクリート製防護柵用標識取付具。
【請求項２】
前記固定アーム、前記連結アーム、および前記可動アームは、前記防護柵との接触面にそれぞれ防護柵支持板を備えることを特徴とする請求項１記載のコンクリート製防護柵用標識取付具。
【請求項３】
前記長さ調節手段の長さを伸ばすことにより、前記固定アームと前記可動アームとの間隔を縮めて前記防護柵に密着させ、前記両アームで前記防護柵に挟持させることを特徴とする請求項１または請求項２記載のコンクリート製防護柵用標識取付具。
【発明の詳細な説明】
【０００１】
【発明の属する技術分野】
本発明は、コンクリート製防護柵用標識取付具に関し、特に２本のアームで防護柵を挟持することにより防護柵に固定し、標識を安定して支持できるコンクリート製防護柵用標識取付具に関する。
【０００２】
【従来の技術】
近年、国道などの道路においてガードレール防護柵ではガードレールを突き破り反対車線または路側から転落する事故が多く発生しているため、ガードレール防護柵に代えてより堅固なコンクリート製防護柵を設置している。コンクリート製防護柵は、ガードレールのように車両が接触しても重大事故に繋がりにくい、補修作業が必要ないなどの利点から、交通量が多く、メンテナンスが事実上不可能となるような大都市周辺の幹線道路の中央分離帯や路側に設置されている。
従来、上記コンクリート製防護柵が設置された道路において工事時などに標識を設置する場合、側溝に取り付け支持する支持具や、自立式の標識支持具などを介して設置されている。
【０００３】
【発明が解決しようとする課題】
しかしながら、上記のようにコンクリート製防護柵を設置している幹線道路では、側溝がない場合があり、側溝に取り付け支持するものは使用できないという問題がある。また、自立式の標識支持具では、高速で通過する車両が起こす風圧や、道路自体が高架式であり吹き付ける強い風により転倒するなどの問題がある。また、コンクリート製防護柵はガードレールと比較して幅厚であり、突起部もないためコンクリート製防護柵自体に標識取付具を固定することは困難であるという問題がある。
【０００４】
本発明は、これらの問題に対処するためになされたもので、コンクリート製防護柵自体に強固に取り付けが可能で、かつその着脱を容易に行なうことができるコンクリート製防護柵用標識取付具を提供することを目的とする。
【０００５】
【課題を解決するための手段】
本発明のコンクリート製防護柵用標識取付具は、コンクリート製防護柵の一側面と対側面とを挟持して標識を取り付けるコンクリート製防護柵用標識取付具であって、該取付具は、上記防護柵の一側面に接する固定アームと、該固定アームに溶接された連結アームと、該連結アームに支持軸を介して可動自在に接続され該防護柵の対側面に接する可動アームと、上記連結アームと略平行で、上記固定アームと上記可動アームとの上端部に支持軸を支点として可動自在に接続され該固定アームと該可動アームとの間隔をねじ機構により調節する長さ調節手段と、上記可動アームに配置された標識支持手段とを備えてなることを特徴とする。
また、上記固定アーム、連結アーム、および可動アームは、防護柵との接触面にそれぞれ防護柵支持板を備えることを特徴とする。
また、上記長さ調節手段の長さを伸ばすことにより、固定アームと可動アームとの間隔を縮めて防護柵に密着させ、上記両アームで防護柵に挟持させることを特徴とする。
【０００６】
長さ調節手段を用いて、固定アームおよび可動アームの上部間隔を調節することにより、可動アームは連結アームとの接続部を支点にして可動し、固定アームおよび連結アームとで形成される形状をコンクリート防護柵の形状に合わせることで、防護柵を密にかつ強固に挟持できる。この結果、取付具が防護柵に強固に固定され標識を安定して支持することができる。
【０００７】
【発明の実施の形態】
コンクリート製防護柵には、直壁型、フロリダ型、単スロープ型などがあり、直壁型は道路面に対して防護柵側面が垂直でその横断面は長方形であり、フロリダ型、単スロープ型は、防護柵側面傾斜角度が道路面に対して略８０度でその横断面はハの字形である。また、直壁型、スロープ型を組合わせて、一側面が垂直で、他側面が傾斜している防護柵もある。また、幹線道路における中央分離帯などでは、上り車線と下り車線で路面の高さが異なる場合があり、防護柵もこれに合わせ左右側面の高さが異なる形状のものを用いる。
【０００８】
本発明のコンクリート製防護柵用標識取付具を図１を用いて説明する。図１は、コンクリート製防護柵用取付具の斜視図である。
取付具１は、コンクリート製防護柵（図示省略）を挟持するための固定アーム２および可動アーム３と、固定アーム２に一端部を溶接固定し可動アーム３にボルト７ａを支持軸として可動自在に接続することにより上記両アームを連結する連結アーム４と、連結アーム４の上部に平行に配置され固定アーム２および可動アーム３と可動自在に接続されたねじ式の長さ調節手段５と、標識を支持するための標識支持手段として可動アーム３の外側面上下に一対のクランプ６とを備えている。
【０００９】
図２に連結アーム４と可動アーム３との接続部として図１におけるＡ−Ａ断面図を示す。図２に示すように、連結アーム４は、可動アーム側面に連結アームと平行に具備された接続板３ａおよび３ｂの間に挟まれ、ボルト７ａおよびナット８ａで構成された支持軸を支点にして可動自在に接続されている。また、コンクリート製防護柵は上記のように、両側面がスロープ形状の場合でもその開き角度は左右とも１０度程度であり、連結アーム４と可動アーム３との間隔Ｄ１は、該角度を形成できる可動範囲となるように調節すればよい。
なお、連結アーム４と固定アーム２とは、固定アーム２の内側面にて連結アーム４の一端部が溶接固定される。両アームは、防護柵形状に合わせた角度で溶接固定することができ、直壁型を含め一側面が垂直である防護柵が多く普及していること、可動アーム３のみで角度の調整が可能であることなどから連結アーム４と固定アーム２とは略直角に溶接することが好ましい。
【００１０】
長さ調節手段５を図３により説明する。図３（ａ）は取付具１の平面図、図３（ｂ）は長さ調節による取付具１の形状変化を示す図である。なお、図３（ａ）では固定アーム、可動アーム、長さ調節手段以外は図示を省略している。
ねじ式長さ調節手段５は、両端部に固定アームおよび可動アームそれぞれに可動自在に接続する接続部５ａおよび５ｂと、接続部に固定されたねじ山を有する芯棒５ｃ、５ｄと、芯棒５ｃと５ｄとを連結する連結部５ｅとを備えている。芯棒５ｃ、５ｄはねじ山方向をそれぞれ逆にして連結部５ｅと螺合されているため、連結部５ｅを回転させることにより長さ調節手段５を伸縮させることができる。また、防護柵への設置時に強固に取り付けるため、連結部５ｅはレンチ孔５ｆを備え、レンチ孔５ｆにレンチまたは鉄芯などを挿入し連結部５ｅを回転させることができる。接続部５ａはコの字形状で固定アーム２を挟み、ボルト７ｂおよびナット８ｂで構成された支持軸を支点として可動自在に接続され、同様に接続部５ｂは可動アーム４にボルト７ｃおよびナット８ｃを介して接続されている。両接続部は、連結アームの上部で、可動、固定両アームの上端部に接続することにより、取付具の形状をハの字形状に変形させることが可能となる。また、上記図２に示す連結アーム４と可動アーム３との接合部と同様に、接続部５ａと固定アーム２との間隔Ｄ２および接続部５ｂと可動アーム３との間隔Ｄ３は、両アームが各１０度程度の角度を形成できる可動範囲となるように調節すればよい。
【００１１】
長さ調節手段５としては、図３に示すねじ式の他、バネ式などの弾性体を利用したものを用いることもできる。取付時の安定性、長期使用における耐久性などからねじ式を用いることが好ましい。
【００１２】
図３（ｂ）に示すように、連結部５ｅを回転し、長さ調節手段５の長さを連結アーム４よりも短くするとハの字形状になりスロープ型防護柵９ａに、連結アーム４と同長さとすると直角形状になり直壁型防護柵９ｂに合わせて設置することができる。
スロープ型防護柵９ａに対して、直角形状の取付具を用いると左右から力を加えて挟持する場合に防護柵側斜面において上方向の分力が発生し、取付具が上方にはずれてしまうという問題があるが、本発明の取付具では、スロープ状に合わせてアーム角度を調節して挟持できるため、アームからの力が斜面に対して垂直にかかり、上記のような上方向の分力が発生しないので取付具がはずれることを防止できる。
【００１３】
標識支持手段であるクランプ６は、公知のものであり、ボルト６ａにより開閉およびリングサイズの調節が可能である。図１においてクランプ６は、可動アーム外側面に溶接により固定され、標識のパイプ状主軸を安定して固定するために上下一対で用いられている。
標識支持手段としては、標識を支持できるものなら使用でき、ハイプ状主軸を有する標識の場合は図１に示す一対のクランプ６などを、主軸がなく、標識板単体の場合では、板をその上下で挟持するような構造を有する支持手段などを用いることができる。なお、これらの支持手段は、可動アーム、固定アームのどちらか一方に、または両アームに取り付けることができ、取り付けは溶接で固定する他、ボルト固定などで脱着可能に取り付けることもできる。
【００１４】
図１に示すように固定アーム２の内側面には、防護柵支持板１０ａ、１０ｂが、連結アーム４の内側面には１０ｃが、さらに可動アーム３の下端には、回転式防護柵支持板１０ｄが具備されている。各アームは重量、製造、コスト面などの問題から、主に図１に示す四角柱状であり、この形状では、防護柵に対して直行方向は固定、可動両アームで密に挟持しているためずれは生じないが、防護柵に対して平行な方向にずれたり、取付具１が道路面に対して傾斜したりする場合がある。防護柵支持版１０ａ、１０ｂおよび回転式防護柵支持板１０ｄにより、上記平行方向にずれを、支持板１０ｃにより取付具の傾斜を防ぐことができ、安定して標識を支持することができる。
【００１５】
防護柵支持板は、各アームに溶接で固定する、または嵌め込み形状を設け脱着可能に取り付けるこができる。着脱可能とすることにより、設置場所の条件に合わせ、例えば、常に強風に晒される場所では、その数を増やしたり、より広い面積を有する形状とするなど柔軟に対応できる。また、支持板の表面に、凹凸形状やゴム層などを設けることにより、より密に防護柵を挟持することができる。
【００１６】
回転式防護柵支持板１０ｄを図４を用いて説明する。回転式防護柵支持板１０ｄは、可動アーム３の下端に、アームの内側面側に偏りボルト７ｄおよびそれに対応するナットから構成される支持軸を介して、９０度回転可能に取り付けられている。支持板を９０度回転させることにより、支持板をアームの内側面側、および路面側のいずれかに接触させることができる。防護柵が高く、可動アーム３が路面に接しない場合は、他の防護柵支持板と同様に、アームの内側面に支持板を接触させ、中央分離帯などで左右の路面高さが異なり可動アーム３が路面に接する場合では、９０度回転させ路面に支持板が接触するようにする。また、取付具の未使用時においては、回転式防護柵支持板１０ｄを路面、または床面などに接触させておくことにより、自立して保管することができる。なお、回転式防護柵支持板１０ｄは固定アームの下端に具備することもできる。
【００１７】
本発明の取付具の施工例を図５に示す。図５は、単スロープ型コンクリート製防護柵にハイプ状主軸を有する標識を取り付けた場合である。施工は、防護柵９ｃの幅よりも固定アームと可動アームとの間隔を広くした状態で防護柵９ｃの上から取付具１を嵌め、その後ねじ式長さ調節手段の連結部をレンチなどで回転させ長さを伸ばすことにより、固定アームと可動アームとの間隔を縮めて防護柵に密着させ、両アームで強固に挟持する。取付具を防護柵に固定後、クランプで標識１１の主軸を支持する。
【００１８】
本発明の取付具の施工は、（１）嵌め込み、（２）固定の２段階のみで容易に取り付けが可能である。また、直壁型、スロープ型などのコンクリート製防護柵形状に合わせて自身の形状を変化できるため、柔軟にかつ強固に設置することができる。さらに、構造が単純で重量が軽いため、保管および運搬などが容易でコストが削減でき経済的である。
【００１９】
【発明の効果】
本発明のコンクリート製防護柵用標識取付具は、コンクリート製防護柵の一側面と対側面とを挟持して標識を取り付けるコンクリート製防護柵用標識取付具であって、該取付具は、上記防護柵の一側面に接する固定アームと、該固定アームに溶接された連結アームと、該連結アームに支持軸を介して可動自在に接続され該防護柵の対側面に接する可動アームと、上記連結アームと略平行で、上記固定アームと上記可動アームとに可動自在に接続され該固定アームと該可動アームとの間隔をねじ機構により調節する長さ調節手段と、上記可動アームに配置された標識支持手段とを備えてなるので、長さ調節手段を用いて、固定アームおよび可動アームの上部間隔を調節することにより、可動アームは連結アームとの接続部を支点にして可動し、固定アームおよび連結アームとで形成される形状を直壁型、スロープ型などのコンクリート製防護柵の形状に合わせることで、防護柵を密にかつ強固に挟持できる。この結果、取付具が防護柵に強固に固定され標識を安定して支持することができる。
【図面の簡単な説明】
【図１】本発明のコンクリート製防護柵用標識取付具の斜視図である。
【図２】図１におけるＡ−Ａ断面図である。
【図３】取付具の平面図および長さ調節による取付具の形状変化を示す図である。
【図４】回転式防護柵支持板の拡大図である。
【図５】本発明のコンクリート製防護柵用標識取付具の施工例を示す図である。
【符号の説明】
１    取付具
２    固定アーム
３    可動アーム
４    連結アーム
５    長さ調整手段
６    クランプ
７    ボルト
８    ナット
９    コンクリート製防護柵
１０  防護柵支持板
１１  標識
【図１】
0003634319.tif 000002
【図２】
0003634319.tif 000003
【図３】
0003634319.tif 000004
【図４】
0003634319.tif 000005
【図５】
0003634319.tif 000006